(57)【要約】    【課題】軽量で繰り返しての再使用が可能で、かつ衝突や接触の際に騒音を発生させないフリートレイ式農産物選別装置用の受皿の提供。    【解決手段】上部に農産物の収容される凹部が形成された略柱状の受皿本体を有するフリートレイ式農産物選別装置用の受皿において、受皿本体50は、黒色の発泡ポリプロピレンを発泡成形して中実構造に形成し、前記凹部に通じる透過光計測用の貫通孔53を設け、農産物が載置された状態で、該農産物の外周面から外来光が貫通孔53に入り込むのを阻止する遮光部材55を受皿本体50の内周面52側に設けた。【選択図】    図３
2005118659.tif 000002
【特許請求の範囲】
【請求項１】
上部に農産物の収容される凹部が形成された略柱状の受皿本体を有するフリートレイ式農産物選別装置用の受皿において、
前記受皿本体は、発泡ポリプロピレン又は発泡ポリエチレンを発泡成形して中実構造に形成されていることを特徴とするフリートレイ式農産物選別装置用の受皿。
【請求項２】
前記発泡ポリプロピレン又は発泡ポリエチレンは黒色であって、前記受皿本体は前記凹部に通じる透過光計測用の貫通孔を有することを特徴とする請求項１に記載のフリートレイ式農産物選別装置用の受皿。
【請求項３】
農産物が載置された状態で、該農産物の外周面から外来光が前記貫通孔に入り込むのを阻止する遮光部材を前記受皿本体の内周面側に設けたことを特徴とする請求項２に記載のフリートレイ式農産物選別装置用の受皿。
【請求項４】
前記発泡ポリプロピレン又は発泡ポリエチレンは、発泡倍率が５〜１５倍であることを特徴とする請求項１、２または３に記載のフリートレイ式農産物選別装置用の受皿。
【請求項５】
農産物が載置される受皿と、選別コンベア上を搬送される受皿に載置された農産物を評価装置により評価し、該評価結果に基づいて、農産物入り受皿を前記選別コンベアの搬送路に沿って仕分区分別に設けられた複数の排出装置によりプールコンベアに払い出す選別仕分け装置とを有するフリートレイ式農産物選別システムにおいて、
前記受皿は請求項１から４のいずれかに記載の受皿を使用し、前記排出装置は、前記受皿の側面に押出し部材が当接して該受皿を前記プールコンベアに向けて払い出すことを特徴とするフリートレイ式農産物選別システム。
【発明の詳細な説明】
【技術分野】
【０００１】
本発明は、トマト，桃，梨，リンゴ，メロン等の農産物を選別するフリートレイ式農産物選別装置において、該農産物が載置され、農産物と一体に搬送されるフリートレイ式農産物選別装置用の受皿、及びこの受皿をフリートレイ式農産物選別装置に備えたフリートレイ式農産物選別システムに関するものである。
【背景技術】
【０００２】
フリートレイ式農産物選別装置は、農産物を例えば１個ずつ受皿に載せて選別コンベア上を計測装置に向けて搬送し、該計測装置の計測結果に基づく農産物の評価別に排出装置によりプールコンベアに農産物を載せた受皿を排出する。そして、農産物入りの受皿は箱詰装置に移動し、受皿上の農産物のみが段ボール箱等の製品箱に箱詰され、空の受皿を再び前記選別コンベアに戻すようにしているものが提供されている。
【０００３】
このようなフリートレイ式農産物選別装置において使用される受皿としては、すり鉢形状の内周壁面を有する受皿本体と、該受皿本体の内周面に対して多段に形成された可撓弾性を有するヒレ状の突起片とを備え、この受皿本体は中空形状に形成されている（特許文献１）。
【０００４】
また、他の構成の受皿としては、すり鉢形状の内周壁面を有すると共に中央部に孔部が形成されている受皿本体と、該中央部の孔部を取り囲むように配置され、農産物の底部が載置される筒形状に形成された可撓弾性を有する受座と、受皿本体の内周壁面の上部内周縁から径方向内方に向けて延び、載置される農産物の側面と当接する弾性支持部材とを備え、例えば農産物の上方あるいは側方から農産物に光を照射し、該農産物内を透過した透過光を受皿本体の底部に形成された中央孔部を通して撮像装置で受光することにより、農産物の糖度などを計測できるようにしている（特許文献２）。
【０００５】
このような受皿において、いずれの受皿本体にあっても、耐摩耗性及び耐衝撃性を重視しており、例えばＡＢＳ＋ナイロン（商標）などの合成樹脂部材を用いて射出成形により硬質に形成されている。
【０００６】
また、受皿を発泡スチロールあるいは紙などで形成することが提案されている（特許文献３）。
【特許文献１】実公平7-37746号公報
【特許文献２】特開2002-011414号公報
【特許文献３】特開平6-056260号公報
【発明の開示】
【発明が解決しようとする課題】
【０００７】
フリートレイ式農産物選別装置に用いられる上記した特許文献１、２に記載の従来の受皿は、耐摩耗性及び耐衝撃性を十分なものとするために、上述のように硬質に形成されていることから重量がある。この受皿はフリートレイ式農産物選別装置におけるコンベア上に多数個載せられているため、受皿のみを搬送するのに多大な動力を必要としていた。
【０００８】
一方、フリートレイ式農産物選別装置には多数の受皿がコンベア上を移動し、また箱詰のためにプールコンベア上に一時的にプールされ、あるいは箱詰時などの際に整列されており、受皿同士が衝突、接触することが多い。このため、受皿同士の衝突、接触によって騒音が発生する場合があった。
【０００９】
また、搬送コンベアの形態によっては、受皿の搬送中にも騒音が発生する場合があった。
【００１０】
一方、特許文献３に記載のように、受皿を例えば発泡スチロールで形成すると、軽量化が図れ、また衝突時および接触時における騒音の発生を防止することができるが、発泡スチロールは脆いので表面がボロボロと容易に剥がれてしまい、繰り返し使用する選別装置用には適さなかった。
【００１１】
特に、特許文献３に記載の受皿は、再使用を考慮しておらず、農産物の選別後に受皿を回収せずに載置している農産物と共に段ボール箱等の製品箱内に箱詰されて緩衝材として機能するようになっているので、全体として肉厚が薄いシート部材により構成されている。
【００１２】
本願発明の目的は、このような従来の問題に鑑みなされたもので、軽量で繰り返しての再使用が可能で、かつ衝突や接触の際に騒音を発生させないフリートレイ式農産物選別装置用の受皿、及びこの受皿をフリートレイ式農産物選別装置に備えたフリートレイ式農産物選別システムを提供しようとするものである。
【課題を解決するための手段】
【００１３】
本願発明の目的を実現するフリートレイ式農産物選別装置用の受皿の第１の構成は、請求項１に記載のように、上部に農産物の収容される凹部が形成された略柱状の受皿本体を有するフリートレイ式農産物選別装置用の受皿において、前記受皿本体は、発泡ポリプロピレン又は発泡ポリエチレンを発泡成形して中実構造に形成されていることを特徴とする。
【００１４】
本願発明の目的を実現するフリートレイ式農産物選別装置用の受皿の第２の構成は、請求項２に記載のように、上記した第１の構成において、前記発泡ポリプロピレン又は発泡ポリエチレンは黒色であって、前記受皿本体は前記凹部に通じる透過光計測用の貫通孔を有することを特徴とする。
【００１５】
本願発明の目的を実現するフリートレイ式農産物選別装置用の受皿の第３の構成は、請求項３に記載のように、上記した第２の構成において、農産物が載置された状態で、該農産物の外周面から外来光が前記貫通孔に入り込むのを阻止する遮光部材を前記受皿本体の内周面側に設けたことを特徴とする。
【００１６】
本願発明の目的を実現するフリートレイ式農産物選別装置用の受皿の第４の構成は、請求項４に記載のように、上記したいずれかの構成で、前記発泡ポリプロピレン又は発泡ポリエチレンは、発泡倍率が５〜１５倍であることを特徴とする。
【００１７】
本願発明の目的を実現するフリートレイ式農産物選別システムは、請求項５に記載のように、農産物が載置される受皿と、選別コンベア上を搬送される受皿に載置された農産物を評価装置により評価し、該評価結果に基づいて、農産物入り受皿を前記選別コンベアの搬送路に沿って仕分区分別に設けられた複数の排出装置によりプールコンベアに払い出す選別仕分け装置とを有するフリートレイ式農産物選別システムにおいて、前記受皿は請求項１から４のいずれかに記載の受皿を使用し、前記排出装置は、前記受皿の側面に押出し部材が当接して該受皿を前記プールコンベアに向けて払い出すことを特徴とする。
【発明の効果】
【００１８】
請求項１に係る発明によれば、受皿本体を発泡ポリプロピレン又は発泡ポリエチレンによる中実構造に形成しているので、受皿が互いに衝突したり、受皿が搬送中に受皿以外の物にぶつかったりしても衝撃が吸収されて衝撃音が小さいため、静粛性が保持される。
【００１９】
また、受皿本体は粘りの有る材質であるため、表面が剥がれることもないので繰り返し使用することができる。
【００２０】
さらに、受皿本体は発泡ポリプロピレン又は発泡ポリエチレンの中実構造としているので、重量のある農産物でも変形することなく農産物を載置させることができる。
【００２１】
請求項２に係る発明によれば、受皿本体が黒色で、貫通孔を透過光計測用透過光が通過する際、外来光が乱反射などしてこの貫通孔に入り込むことを防止することができる。
【００２２】
請求項３に係る発明によれば、請求項２に係る発明の効果に加え、さらに外来光が前記貫通孔に入り込むのを阻止することができる。
【００２３】
請求項４に係る発明によれば、受皿に適度な剛性を与えつつ軽量化ができ、しかもある程度の気泡によって衝撃吸収に優れた弾性が得られる。
【００２４】
請求項５に係る発明によれば、軽量の受皿を大量に使用できるので、コンベアを駆動するモータの容量を小さくでき、また省電力化を測ることができ、選果施設の消費電力の削減を図ると共に、選果施設における静粛性を得ることが出来る。
【発明を実施するための最良の形態】
【００２５】
（第１の実施の形態）
図１は本発明によるフリートレイ式農産物選別システムの一実施の形態を示す概略平面図である。
【００２６】
図１において、フリートレイ式農産物選別装置は、生産者から運び込まれた農産物を供給コンベア１上の受皿Ｄ１に作業者Ｐにより手作業で載置させる供給部Ａと、供給部Ａから供給される農産物入り受皿Ｄ１が計測用コンベア１０に移載され、農産物を評価のために計測装置１１で計測する計測部Ｂと、計測部Ｂを通過した計測済みの農産物入り受皿Ｄ１をリターンコンベア２０付きの仕分コンベア２１に移載し、評価別に設けた排出装置２２（22a、22b、22c・・・22l、22m、22n・・）により農産物入り受皿Ｄ１をプールコンベア２３（23a、23b、23c・・・23l、23m、23n・・）に払い出す仕分部Ｃと、各プールコンベア２３にプールされている農産物入り受皿Ｄ１を農産物の箱詰移載位置に移動させて整列させ、吸着保持手段で受皿Ｄ１上の農産物を空の段ボール箱などの製品箱に箱詰する箱詰装置３０（30a、30b、30c・・・30l、30m、30n・・）を備えた箱詰部Ｅと、空の受皿Ｄ１を供給部Ａの供給コンベア１に戻す受皿戻しコンベアＦと、装置全体を制御する制御装置（不図示）とを備えている。
【００２７】
また、供給部Ａから計測部Ｂに向けて計測コンベア１０上を搬送される受皿Ｄ１について、農産物が載置されているか否かを例えば受皿Ｄ１上の所定高さ位置で接触式にセンサ（不図示）にて判別し、受皿Ｄ１上に農産物が載置されていないと、空受皿排除用排出装置４０により、計測コンベア１０上の空の受皿Ｄ１を受皿戻しコンベアＦに払い出すようにしている。なお、各箱詰装置３０において、農産物を箱詰することにより空となった受皿Ｄ１は、この受皿戻しコンベアＦに送られるようになっている。
【００２８】
供給部Ａにおいて、受皿戻しコンベアＦから供給コンベア１に繰り返し使用される空の受皿Ｄ１が供給されており、この受皿Ｄ１の構成については後述する。作業者Ｐは供給コンベア１上を搬送される受皿Ｄ１上に農産物を載せるが、農産物の載置が間に合わない受皿Ｄ１は空のまま計測コンベア１０へと搬送される。
【００２９】
農産物入りの受皿Ｄ１は、計測装置１１へと搬送され、例えば計測のために停止される。計測装置１１は、糖度などの内部品質、外径、外形形状、表面の傷の有無などを計測するために、例えば透過光式の計測装置や撮像装置等により構成されている。
【００３０】
計測装置１１として光透過型として例えば糖度などを計測する場合、受皿Ｄ１には農産物の載置面をなす底部に透過光を撮像装置に導くための孔部が形成され、受皿Ｄ１に載置されている農産物の上方あるいは側方に配置した照明装置からの照明光を農産物に照射し、農産物内を透過した透過光を受皿Ｄ１の孔部を通して計測コンベア１０の下方に配置した受光装置が受光する。そして、受光した光の強度に基づいて糖度などが求められる。
【００３１】
このように計測装置１１での計測に基づく評価は不図示の制御装置に記憶されて管理されるが、管理のための農産物のアドレスとして、受皿Ｄ１にそれぞれ形成した受皿固有の識別手段（固有番号）を利用している。この受皿固有の識別手段としては、例えば、バーコード、磁気記録手段、マイクロチップなどがあるが、本実施の形態ではバーコードを用いたものとして以下説明する。
【００３２】
計測装置１１の直前には、受皿Ｄ１の固有の識別手段であるバーコードを読み取るバーコードリーダ（不図示）が配置され、読み取った受皿Ｄ１の固有番号と計測装置の計測結果である評価結果とが対応して記憶される。
【００３３】
計測済みの農産物入り受皿Ｄ１は、仕分コンベア２１上を搬送され、リターンコンベア２０との合流点よりも下流側に配置した仕分用バーコードリーダ４１により受皿Ｄ１の側面に形成しているバーコードが読み取られる。前記制御装置は、仕分用バーコードリーダ４１で読み取った受皿Ｄ１のバーコード（固有情報）とリンクしている評価結果である仕分区分を読み出し、対応する仕分区分用の排出装置２２を所定のタイミングで動作させ、農産物入り受皿Ｄ１を所定の仕分区分のプールコンベア２３に払い出す。
【００３４】
これらの排出装置２２および空受皿排除用排出装置４０は、いずれも同じ構造のものが使用されており、以下にその構成を簡単に説明するが、この排出装置は本願出願人が既に出願（特願2002-304202）しているものと同様の構成を有している。
【００３５】
排出装置２２は、図１中の排出装置２２ｂに示すように、駆動力が伝達されて図中時計方向に回転する回転レバー４２と、仕分コンベア２１に近い位置に揺動支点を有する揺動アーム４３とに夫々連結された押出し部材４４とでリンク機構を構成し、押出し部材４４の後端部と連結している回転レバー４２が時計方向に略半回転すると、押出し部材４４の先端部が仕分コンベア２１の移動方向に沿って且つプールコンベア２３に向かって略直線状に移動し、その後回転レバー４２が半回転する間に、押出し部材４４の先端部が急激に仕分コンベア２１から退避しながら弧状の軌跡を描いて元の位置に戻るという平面略Ｄ字形状の軌跡４５を描くようになっており、回転レバー４２の前半の半回転で押出し部材４２の先端部が仕分コンベア２１上を移動する受皿Ｄ１と当接して同方向に移動しながら農産物入り受皿Ｄ１をプールコンベア２３に向けて押出すようにして払い出す。
【００３６】
プールコンベア２３に払い出されてプールされている農産物入り受皿Ｄ１は、必要数が箱詰装置３０の整列コンベアに送り出され、箱詰のために例えば一列に整列される。そして、手作業又は機械作業により受皿Ｄ１上の農産物が段ボール箱などの製品箱内に配置されているトレイパックに箱詰される。
【００３７】
一列に整列されている受皿Ｄ１上の農産物が箱詰のために製品箱に移載されると、空の受皿Ｄ１を受皿戻しコンベアＦに送る。
【００３８】
図２および図３は受皿Ｄ１の一実施の形態を示し、図２は受皿の平面図、図３は図２のＸ-Ｘ線に沿った縦断面図である。
【００３９】
この受皿Ｄ１は、筒形状に形成された受皿本体５０と、受皿本体５０の内周部に装着されたゴム製の遮光性を有する受座５１とにより構成されている。
【００４０】
受皿本体５０は、発泡ポリプロピレンの発泡成形により中実構造に形成されており、内周面５２は中心部に形成された内径部５３の開口縁から上部に向かうに従って内径が漸増するすり鉢形状に形成されている。
【００４１】
受座５１は、受皿本体５０の内径部５３に取り外し可能に装着される円筒形状の取り付け部５４と、この取り付け部５４の上端開口から上方に向けて拡開した逆円錐台形状の受座本体部５５とにより構成されている。この受座５１はゴム製であり、受座本体部５５はシート状に形成されているため、受皿Ｄ１に農産物として例えばメロンを載置した場合、メロンの下面部が受座本体部５５に当接し、メロンの重みで受座本体５５が弾性変形してメロンの外表面に密着する。
【００４２】
本実施の形態の受皿Ｄ１は、透過光型の計測装置１１に対して好適に用いられるもので、受皿Ｄ１の上方又は側方に配置した照明装置から農産物、例えばメロンに照明光を照射し、該メロン内を透過し内径部５３を通過した透過光を計測コンベアの下方に配置された受光装置で撮影する際、メロンの外表面と受座本体部５５との間から外光が受座５１内に入り込むことが防止される。
【００４３】
本実施の形態における受皿本体５０は、内面と外面との間に発泡ポリプロピレンが充填された中実構造に形成され、また黒色に着色されている。受皿本体５０を黒色とすることで、前記照明装置等からの光が受皿内に入り込むのを阻止すると共に、受皿本体５０の内周面で外来光が乱反射して受座本体５１とメロン等の農産物との間から入り込むのを極力防止している。
【００４４】
また、本実施の形態における受皿本体５０は、発泡ポリプロピレンを発泡させて中実構造に形成し、内周面５２はすり鉢状に形成しているため、受皿本体５０を一部材で構成でき、単純な形状に形成することができる。
【００４５】
本実施の形態において、受皿Ｄ１の材料として発泡ポリプロピレンを用い、非発泡ポリプロピレンを用いなかったのは、同体積であっても発泡ポリプロピレンを用いた方が軽量な製品が得られることによる。
【００４６】
また、発泡ポリプロピレンを用いた中実構造とすることによって、メロン等の重量のある農産物が載置されても十分な剛性が得られ、繰り返しの使用に耐えることができる。
【００４７】
また、発泡ポリプロピレン製の受皿本体は、弾性に富み、受皿本体同士が衝突し、あるいは受皿本体が搬送中に何らかの物体に衝突しても衝撃を吸収して大きな衝撃音が発生するのを防止することができる。発泡ポリプロピレン製の受皿本体は材料の特性として粘り強さを備えているので、衝撃の際に表面が剥がれることがなく、高寿命性を有している。これに対し、緩衝材等に使用される発泡スチロールを用いて本実施の形態と同様の中実構造の受皿本体を構成したが、脆いため繰り返しの使用には不向きであった。
【００４８】
さらに、発泡ポリプロピレンによる型成形での大量生産が可能である。本実施の形態において、発泡ポリプロピレンの発泡倍率として５〜１５倍としたものが使用でき、１０倍前後（８倍〜１１倍）が好ましく、耐衝撃性、剛性の点において優れていた。
【００４９】
また、図１に示す排出装置２２、４０の押出し部材４４の先端を受皿本体５０の側面に当接させて水平方向に受皿Ｄ１を押出す際、押出し部材４４が衝突しても殆ど衝撃音が発生することがなく、静粛性を保持して大量の受皿を排出処理することが可能となる。
（第２の実施の形態）
図４は本発明による受皿の他の実施の形態を示す。
【００５０】
上記した図２及び図３に示す実施の形態の受皿Ｄ１は、受座５１の受座本体部５５を膜状に形成し、農産物の非載置状態において、受皿本体５０の内周部５２と受座本体部５５との間に隙間を形成していたが、本実施の形態では受皿本体６０の内周部６２の表面にスポンジなどの軟弾性を有する受座シート６３を貼り付けている。
【００５１】
本実施の形態の受皿本体６０は、図２及び図３に示す受皿本体５０と同様に構成されており、発泡ポリプロピレンにより形成されている。
【００５２】
そして、本実施の形態の受皿Ｄ２は、図２及び図３に示す受皿Ｄ１と同様に、図１に示す計測装置１１において、上方又は側方から照明され、受皿Ｄ２に載置する農産物内を透過して内径部６１を通過して下方の受光装置にて受光される際、農産物の外表面に受座シート６３が密着することで、外来光が受座シート６３と農産物の外表面との間から入り込むのを防止している。
【００５３】
本実施の形態によれば、発泡ポリプロピレン製の受皿本体６０の内周面６２に受座シート６３を貼り付け、この受座シート６３の外周縁部は受皿本体６０の上端外周縁まで延びているので、農産物を受皿Ｄ２に載置した際、農産物の外周面が受皿本体６０の表面に直接触れることがなく、受皿本体６０が農産物との摩擦により傷むのを防止することができる。
【００５４】
なお、上記した図２及び図４に示す受皿Ｄ１、Ｄ２は共に載置される農産物内を透過した透過光が下方の受光装置に向けて通過するための内径部５３、６１を設けているが、本発明はこのような内径部を備えた受皿に限定されるものではなく、内径部の設けられていない有底の受皿であっても良く、受皿本体を発泡ポリプロピレンにて中実構造に形成したものであれば良い。
（第３の実施の形態）
図５は本発明によるフリートレイ式農産物選別システムの他の実施の形態を示す概略平面図である。
【００５５】
本実施の形態は、排出装置７０と、空受皿排除用排出装置７１との構成が図１に示す排出装置２２、４０と異なる点、及び使用する受皿として図４に示す構成の受皿Ｄ２を用いている点を除き同じ構成であるため、同一の構成要素には同じ符号を付してその説明を省略する。
【００５６】
本実施の形態において、排出装置７０と、空受皿排除用排出装置７１とは共に往復動作するピストンシリンダー構造のアクチュエータを用いており、排出装置７０にあっては、受皿の搬送される仕分コンベア２１の搬送方向に対して直交方向にシリンダーロッドが往復移動し、該シリンダーロッドの先端部に設けた突き当て部材７０ａが受皿本体６０の側面を突き当ててプールコンベア２３に向けて農産物入り受皿Ｄ２を排出させるようになっている。
【００５７】
このように、発泡ポリプロピレン製の受皿本体６０を有する受皿Ｄ２に対して排出装置７０（７１）が突き当て部材７０ａを受皿Ｄの側面に高速で突き当てても衝撃音が殆ど発生しないので、数多くの排出装置７０（７１）を配置している選果場にあっても静粛性を保つことができる。
【００５８】
また、農産物の選別システムの処理速度を高めるために各種のコンベアを高速とした際に受皿同士が衝突しても、衝突の際に発生する衝撃音が非常に小さいので、排出装置７０（７１）の突き出し時の静粛性と相俟って静かな選果場を提供することができる。
【００５９】
なお、上記した各実施の形態において、受皿本体の材料として発泡ポリプロピレンを用いているが、発泡ポリエチレンを用いても同様の効果が得られ、さらに発泡ポリエチレンは発泡ポリプロピレンに比べて若干柔らかく、安価である。
【図面の簡単な説明】
【００６０】
【図１】本発明によるフリートレイ式農産物選別システムの一実施の形態を示す概略平面図
【図２】受皿の一実施の形態を示す平面図
【図３】図２のＸ−Ｘ線に沿った縦断面図
【図４】受皿の他の実施の形態を示す縦断面図
【図５】本発明によるフリートレイ式農産物選別システムの他の実施の形態を示す概略平面図
【符号の説明】
【００６１】
Ａ  供給部
Ｂ  計測部
Ｃ  仕分部
Ｄ１、Ｄ２  受皿
Ｅ  箱詰部
Ｆ  受皿戻しコンベア
Ｐ  作業者
１  供給コンベア
１０  計測用コンベア
１１  計測装置
２０  リターンコンベア
２１  仕分コンベア
２２（22a、22b、22c・・・22l、22m、22n・・）  排出装置
２３（23a、23b、23c・・・23l、23m、23n・・）  プールコンベア
３０  箱詰装置（30a、30b、30c・・・30l、30m、30n・・）
４０  空受皿排除用排出装置
４１  仕分用バーコードリーダ
４２  回転レバー
４３  揺動アーム
４４  押出し部材
４５  軌跡
５０  受皿本体
５１  受座
５２  内周面
５３  内径部
５４  取り付け部
５５  受座本体部
６０  受皿本体
６１  内径部
６２  内周部
６３  受座シート
７０  排出装置
７０ａ  突き当て部材
７１  空受皿排除用排出装置
【図１】
2005118659.tif 000003
【図２】
2005118659.tif 000004
【図３】
2005118659.tif 000005
【図４】
2005118659.tif 000006
【図５】
2005118659.tif 000007